(57)【要約】【課題】浴室の排水口の上側に、網を装着して毛屑を溜め、溜まった毛屑を網から容易に分離することで、手の指を使わずに、毛屑を簡単に捨てることができるようにし、かつ装着した排水口からずれないようにした毛屑取具を提供する。【解決手段】枠２の内周部に付設した網３の下側に、弾力体の連結棒４を配置し、その連結棒４の一端に、枠２の内側の中央部に位置するとともに、下方に向けて突出部５を設けた打撃重り６を固着し、他端を枠２の内周部に固着し、かつ枠２の外周部に取っ手７を付設する。【選択図】　図１
2004132155.tif 000002
【特許請求の範囲】
【請求項１】
枠２の内周部に付設した網３の下側に、弾力体の連結棒４を配置し、その連結棒４の一端に、枠２の内側の中央部に位置するとともに、下方に向けて突出部５を設けた打撃重り６を固着し、他端を枠２の内周部に固着し、かつ枠２の外周部に取っ手７を付設してなる、排水口に装着する毛屑取具。
【発明の詳細な説明】
【０００１】
【発明の属する技術分野】
本発明は、浴室の排水口に装着する毛屑取具に関する。
【０００２】
【従来の技術】
従来、浴室の排水口には、排水用の穴を開けた排水口蓋が据え付けてあり、洗髪時など、抜けた毛屑の収集用として、網状の毛屑収集用具を排水口の上側に装着して毛屑を溜めた。しかし、毛屑収集用具に溜まった毛屑を捨てるときは、手の指で掻き集めたり、拾い集めたりしなければならず、たいへん不快であった。また洗髪途中、装着した毛屑収集用具に、湯水が勢いよく当たったり、身体の一部や物が接触したりすると、毛屑収集用具が排水口からずれてしまうことがあって困った。
【０００３】
【発明が解決しようとする課題】
本発明は、排水口の上側に、網を装着して毛屑を溜め、溜まった毛屑を網から容易に分離することで、手の指を使わずに、溜まった毛屑を簡単に捨てることができるようにし、かつ装着した排水口からずれないようにしたものである。
【０００４】
【課題を解決するための手段】
本発明は、枠の内周部に付設した網の下側に、弾力体の連結棒を配置し、その連結棒の一端に、枠の内側の中央部に位置するとともに、下方に向けて突出部を設けた打撃重りを固着し、他端を枠の内周部に固着し、かつ枠の外周部に取っ手を付設する、手段を講じたものである。
【０００５】
【発明の実施の形態】
以下、本発明の実施の形態を図面にそって説明する。
【０００６】
図１ないし図４に示すものは、本発明の実施の形態である。
本発明による毛屑取具１は、枠２の内周部に付設した網３の下側に、弾力体の連結棒４を配置し、その連結棒４の一端に、枠２の内側の中央部に位置するとともに、下方に向けて突出部５を設けた打撃重り６を固着し、他端を枠２の内周部に固着し、そのうえ枠２の外周部に取っ手７を付設してなり、浴室の湯の温度に耐える合成樹脂製で、打撃重り６に重量がある金属を用いたものである。
【０００７】
図１は、本発明の斜視図であり、排水口１０に据え付ける排水口蓋８も示した。
毛屑取具１の枠２は、排水口１０及び排水口蓋８を覆う大きさで、かつ排水口蓋８の外周縁と枠２の内周縁との間に適度の間隔を設けた大きさとし、枠２の内周部で、枠２の内側の全体に網３を付設することにより、枠２の外側から排湯水が枠２を乗り越えて排水穴９に流れ込むとともに、排湯水に混じった毛屑を、網３で漉し取って網３の上面に溜めることができる。
【０００８】
枠２は、円形に形成するが、四角形、角形、あるいは果物形や動物形や漫画のキャラクター形などの輪郭をかたどったり、任意の形状に形成したりしてもよい。
枠２は、枠２の外側から内側に向かって排湯水とともに毛屑が流れ込みやすくなるように、適度の高さと巾とし、外周縁を薄くし、かつ上面を滑らかに形成する。そして、浴室の床１１と接す枠２の下面を平らにし、枠２の上面は、水平状あるいは任意形状としてもよいが、外周縁から内周側に向かって上面を凸形としたり、傾斜を設けて徐々に高くしたり、弧状に盛り上げたりした形状としてもよい。
【０００９】
枠２の内周部で、枠２の内側全体に付設した網３は、枠２と一体型で成型してもよいが、網３を別に形成して、枠２と着脱自在に形成すると、網３が破損しても、網３を交換すれば繰り返し使用できるのでよい。
【００１０】
網３の下側に配置し、しかも一端を打撃重り６に固着し、他端を枠２の内周部に固着した連結棒４は、棒状で弾力性がある弾力体とし、弾力性がある合成樹脂製とするが、合成樹脂に弾力性がある棒状や帯板状の金属を付設してもよい。
弾力体の連結棒４は、その弾力性を利用して打撃重り６を上下に繰り返し振幅運動させることができるので、その振幅運動によって打撃重り６で網３を打撃することができる。そして、打撃重り６で網３を打撃したときの衝撃が網３の全体に伝わって、網３の上面に溜まった毛屑を網３から分離することができるので、網３に溜まった毛屑を、指１２で触ることなく、つまり毛屑を指１２で掻き集めたり、拾い集めたりすることなく、容易に毛屑を捨てることができる。
連結棒４は、下側を平らにした直線状の１本の棒状に形成するが、直線状でなく、円弧形、Ｓ字形など曲線形状としたり、１本でなく、複数本としたり、途中で分かれた形状としたり、あるいは棒状を帯板状、角形棒状、丸棒状としたり、など任意の形状にしてもよい。
【００１１】
網３を打撃する打撃重り６は、枠２の内側の中央部に位置するように形成することにより、打撃重り６が網３の中央部を打撃することになるので、打撃による衝撃が網３の全体に一様に伝わるとともに、その衝撃によって網３に溜まった毛屑を網３から一様に分離させることができる。
打撃重り６は、枠２の外側から枠２を越えて排水口蓋８の排水穴９に流れ込む排湯水の邪魔にならないように、小形に形成するとともに、網３を打撃する重量が必要なことから、重量のある金属で形成するが、合成樹脂に重量がある金属を付設して形成してもよい。また、合成樹脂に金属をそのまま剥き出し状態で付設してもよいが、合成樹脂で外側部分を形成し、金属を内部に収納した状態にすると、金属が排湯水に触れにくくなって、錆びにくくなるのでよい。
打撃重り６の形状は、円錐状、円柱状、角柱状、あるいは任意の形状でよいが、網３と接触し、網３を打撃する部分である打撃重り６の上面部分は、球面状など滑らかに形成し、網３を傷つけにくい形状に形成する。
【００１２】
打撃重り６から下方に向けて付設した突出部５は、排水口蓋８の中央に開いた中央排水穴９ａに挿入することにより、打撃重り６が枠２の内側の中央部に位置しているので、排水口蓋８を枠２の内側の中央部に配置することとなり、よって排水口１０及び排水口蓋８全体を枠２の内側に付設した網３で覆うことができる。
また、排水口蓋８の中央に中央排水穴９ａがない場合は、中央近辺の排水穴９に、突出部５を挿入すれば、排水口蓋８の外周縁と枠２の内周縁との間に適度の間隔があるので、上記同様に、排水口蓋８全体を枠２の内側に付設した網３で覆うことができる。
こうして、毛屑取具１を排水口１０に装着するとき、すなわち毛屑取具１を排水口蓋８に装着するときは、突出部５を排水口蓋８の中央排水穴９ａに挿入すると、毛屑取具１に、湯水が勢いよく当たったり、身体の一部や物が接触したりしても、突出部５が中央排水穴９ａに引っかかって抜け出ないので、毛屑取具１が排水口蓋８からずれて移動することがない。よって毛屑取具１が排水口１０からずれることがないので、安定して毛屑取具１を排水口１０の上に保持することができる。
突出部５は、排水口蓋８の中央排水穴９ａに挿入できる形状とするが、中央排水穴９ａより適度に細い棒状か、任意形状でもよい。
また、突出部５は、中央排水穴９ａを貫通し適度に長く形成すると、突出部５の先端が、網３越しでも確認しやすくなるので、突出部５を中央排水穴９ａに容易に挿入することができるし、さらに毛屑取具１を突出部５の長さ以上に持ち上げない限り、突出部５が中央排水穴９ａから抜け出ることがないので、排水口１０に毛屑取具１を安定して保持することにもなる。
【００１３】
枠２の外周部であって、連結棒４の一端を枠２の内周部に固着した部分の向かい側、あるいは向かい側の近辺に、枠２より外側方向に向けた取っ手７を付設する。
枠２に取っ手７を付設すると、手の指１２で、この取っ手７を容易に持つことができるので、毛屑取具１を確実に保持することができるとともに、毛屑取具１を容易に繰り返し上下させ、かつ連結棒４の弾力性を利用して打撃重り６を容易に振幅運動させて、打撃重り６で網３を打撃し、網３から容易に毛屑を分離し、毛屑を捨てることができる。
取っ手７は、板状に形成するが、枠状、あるいは板状に穴や溝を設けたものでもよく、大きすぎると邪魔になるので、親指と人差し指など数本の指１２で持てる程度の適度の大きさが望ましい。取っ手７をより持ちやすくするために、取っ手７を手の全体で持てるように枠２から外側に向けて長く形成してもよいが、その場合、取っ手７を伸縮自在に形成したり、取っ手７を折りたためるようにしたりして、取っ手７の長さを調整できるようにしてもよい。
また、取っ手７の後尾部分を少し上向きにしたり、取っ手７の縁の一部あるいは取っ手７全体を円弧状やへの字状のように上方に上げたりした形状に形成すると、毛屑取具１を排水口１０に装着したときに、取っ手７と床１１との間に隙間が生じるので、取っ手７を指１２で容易に持ちやすくなってよい。
【００１４】
図２は、本発明による毛屑取具１を、排水口１０に据え付けた排水口蓋８に装着した状態を示す断面図である。
【００１５】
毛屑取具１は、打撃重り６から下方に向けて設けた突出部５を、排水口蓋８の中央排水穴９ａに挿入することで、毛屑取具１を排水口１０に装着したとき、枠２の下面と、連結棒４を介して枠２の中央部に位置した打撃重り６の下側とが、おおかた同一平面状態を保つように形成すると、枠２の下面と床１１とが接触状態になって隙間ができにくくなるので、この隙間から毛屑混じりの排湯水の漏れ出しを減らすことができる。
毛屑取具１を排水口１０に装着すると、枠２の内側の中央部に位置する打撃重り６の適度な重量は、排水口蓋８に掛りつつ、打撃重り６と繋がる毛屑取具１の枠２にも掛ることから、毛屑取具１全体が排水口蓋８および床１１を押圧することとなり、毛屑取具１を排水口１０の上に安定して保持することができる。
【００１６】
図３ないし図４は、本発明の使用状態を示す一部切り欠き側面図であり、毛屑取具１の網３の上面に溜まった毛屑を、網３から分離する状態を示す。
図３は、毛屑取具１を排水口１０に装着して使用すると、枠２の内側に付設した網３の上面に毛屑が溜まるので、突出部５を中央排水穴９ａから引き抜きつつ、毛屑取具１を持ち上げ、そして毛屑が溜まった網３の上面を下方に向け、排水口蓋８側に面していた網３の下面を上方に向けた状態、つまり毛屑取具１の上面と下面をひっくり返して、取っ手７を指１２で持った状態である。
網３の上面に溜まった毛屑を網３から分離するには、図３のごとく取っ手７を指１２で持ったままの状態より、手首や肘を支点にして、毛屑取具１を一気に数十度から９０度ほど上方に向かって振り上げるとともに、網３の上側に位置した打撃重り６を、上方の空中に向かって放り上げると、重量がある打撃重り６が網３から離れて上方に飛び上がりつつ、弾力体である連結棒４をたわませて、図４の状態となる。すかさず、毛屑取具１を下方に向かって振り下ろして元の図３の状態に戻すと、網３から離れて上方に飛び上がった打撃重り６は、図３の元の位置に戻ろうとする動きと、弾力性でたわんだ連結棒４が元の状態に戻ろうとする力とがあいまって、下方に向かって勢いよく落下し、網３の下面を打撃する。そして、打撃重り６が網３の下面を打撃すると、その打撃の衝撃によって、網３の上面に溜まっていた毛屑が網３から分離するので、分離した毛屑を、打撃した網３の下面の反対方向、つまり図３の網３の下方に向かって落とし、捨てることができる。
なお、毛屑取具１を一気に上下に動かす動作は、１回に限らず、数回反復すると、より良い結果が得られる。
【００１７】
以上から、網３に溜まった毛屑は、指１２を使わずに、簡単容易に網３から分離して、捨てることができるので、不快感がなく、しかも空中において網３から毛屑を分離することができることから、毛屑取具１を物に打ち付け、その反動で網３から毛屑を分離するようなことがないので、毛屑取具１と打ち付ける物の双方を傷つけるようなこともない。
【００１８】
【発明の効果】
本発明による毛屑取具１は、網３に溜まった毛屑を捨てるときには、打撃重り６で網３を打撃することで、網３に溜まった毛屑を簡単容易に分離することができることから、毛屑を手の指１２で触ることがないので、不快感なく毛屑を捨てることができ、しかも突出部５を排水口蓋８の中央排水穴９ａに挿入することにより、排水口１０からずれることがないので、安定して排水口１０に装着することができて便利である。
【図面の簡単な説明】
【図１】本発明の斜視図である。
【図２】本発明の断面図である。
【図３】本発明の一部切り欠き側面図である。
【図４】本発明の一部切り欠き側面図である。
【符号の説明】
１・・毛屑取具
２・・枠
３・・網
４・・連結棒
５・・突出部
６・・打撃重り
７・・取っ手
８・・排水口蓋
９・・排水穴
９ａ・・中央排水穴
１０・・排水口
１１・・床
１２・・指
【図１】
2004132155.tif 000003
【図２】
2004132155.tif 000004
【図３】
2004132155.tif 000005
【図４】
2004132155.tif 000006